(57)【要約】【課題】寸法精度のバラツキやパッキン材の劣化が生じても、良好なクリック感をもって確実に固定具をロックすることができ、良好かつ確実に蓋体を固定することができる、天井点検口の蓋体固定構造を提供することを目的とする。【解決手段】固定具取付孔２にロック部２１を設けると共に、固定具１の回動軸１２に上記ロック部と弾性的に係合する係合部１２５を設け、押え板１１の一部が蓋体ａの外周縁から突出して点検口ｅの表側周縁部と係合する所定の回動角度で、ロック部２１と係合部１２５とが弾性的に係合し、適度なクリック感を伴って固定具１の回動が緩ロックされるように構成したことを特徴とする天井点検口の蓋体固定構造を提供する。【選択図】　図１
2004084279.tif 000002
【特許請求の範囲】
【請求項１】
天井に設けられた点検口の周縁部に天井裏側から係合させ、該点検口を閉塞する蓋体を、押え板に回動軸を立設した固定具を用いて固定する蓋体固定構造であり、上記蓋体の周縁近傍に設けた固定具取付孔に上記回動軸を回動可能に係合させて上記固定具を蓋体に取り付け、上記固定具を回動させて該固定具の上記押え板の一部を蓋体の外周縁から外側へと突出させ、この押え板の一部を上記点検口の表側周縁部に係合させて該蓋体を固定し、またこの状態から上記固定具を回動させて、上記押え板と点検口の表側周縁部との係合状態を解除し、蓋体の固定状態を解除する蓋体固定構造において、
上記固定具取付孔にロック部を設けると共に、上記固定具の回動軸に上記ロック部と弾性的に係合する係合部を設け、上記押え板の一部が上記蓋体の外周縁から突出して上記点検口の表側周縁部と係合する所定の回動角度で、上記ロック部と上記係合部とが弾性的に係合し、適度なクリック感を伴って固定具の回動が緩ロックされるように構成したことを特徴とする天井点検口の蓋体固定構造。
【請求項２】
上記固定具が、押え板の上面に偏心して上記回動軸を突設し、該回動軸の先端から斜め下方に向けて弾性変形可能な２以上の係止片を均等に突設すると共に、該係止片の先端部近傍に係止段差を設け、この係止段差から先の部分を上記係合部としたものであり、かつ上記固定具取付孔が、円形孔の内周の一部に凹状の上記ロック部を形成したものであり、
上記固定具取付孔に挿入された上記回動軸に設けられた上記係止片の係合部が固定具取付孔の内周面に弾性的に当接し、かつ係止片の上記係止段差が固定具取付孔の周縁部に係合して、上記固定具が上記固定具取付孔に回動可能に取り付けられていると共に、上記所定の回動角度で上記係止片の係合部が固定具取付孔に設けられた上記凹状のロック部に弾性的に嵌入して、固定具の回動が緩ロックされるように構成された請求項１記載の天井点検口の蓋体固定構造。
【請求項３】
上記固定具の回動軸基端部に、該回動軸を囲うように弾性変形可能な吸盤状の押圧フランジが設けられており、該押圧フランジが上記固定具取付孔の表側周縁部に弾性的に当接した請求項１又は２記載の天井点検口の蓋体固定構造。
【請求項４】
上記押え板上面に弾性変形可能な押圧片を突設し、蓋体の固定時に、該押圧片が上記点検口の表側周縁部に弾性的に当接するように構成された請求項１〜３のいずれか１項に記載の天井点検口の蓋体固定構造。
【請求項５】
浴室の天井に設けられた天井点検口の蓋体を固定する、請求項１〜４のいずれか１項に記載の天井点検口の蓋体固定構造。
【発明の詳細な説明】
【０００１】
【発明の属する技術分野】
本発明は、天井に設けられた天井点検口を閉塞する蓋体を固定するための蓋体固定構造に関する。
【０００２】
【従来の技術】
浴室などの天井には、天井裏の電気配線、換気設備等のメンテナンスを行うための点検口が設けられている。通常、この点検口には蓋体が取り付けられているが、この蓋体は、天井裏側から点検口に被せるように点検口の周縁部に係合させただけのものが一般的であり、メンテナンス時にはこの蓋体を天井裏側へと持ち上げてずらすことにより、点検口を開口させるようになっている。
【０００３】
しかしながら、このように単に蓋体を天井裏側から載置係合させただけの構造では、例えば密閉性の高いユニットバスルームなどの場合には出入り口ドアの開閉時に、風圧によって蓋体が持ち上がってしまったり、拭き掃除を行う際に蓋体が持ち上がってしまうなどの不都合がある。そこで、このような天井点検口の蓋体を簡易に固定する固定構造が特許第３１０４５５７号公報に提案されている。
【０００４】
この固定構造は、図８，９に示したように、蓋体ａの周縁近傍に固定具取付孔ｂを設けて、この固定具取付孔ｂに取り付けた固定具ｃを天井パネルｄの点検口ｅ周縁部に係合させることにより蓋体ａを点検口ｅに固定するようにしたものである。
【０００５】
上記蓋体ａは、周縁部が断面クランク状に折曲されて、その周縁が係合縁部ａ１となっていると共に、この係合縁部ａ１にゴム等のパッキン材ｆが貼着されており、一方点検口ｅの周縁部にはパネルｄが断面コ字状に折り返されて天井裏側（図中、上側）に突出した係合縁部ｄ１が形成されている。そして、上記蓋体ａを天井裏側から上記点検口ａを覆うように載置し、蓋体ａの周縁部に形成された上記係合縁部ａ１を点検口ａの周縁部に形成された上記係合縁部ｄ１係合させて、点検口ａを閉塞するものである。このとき、蓋体ａの係合縁部ａ１と点検口ａの係合縁部ｄ１との間に上記パッキン材ｆが介装された状態となり、このパッキン材ｆによって気密性を確保し、湿気が天井裏へと侵入することを防止するようになっている。
【０００６】
また、上記固定具ｃは、円形の押え板ｃ１の上面に偏心して円柱状の回動軸ｃ２を立設し、該回動軸ｃ２の基端部やや上方から二又状の脚柱ｃ３を上方に向けて突設すると共に、該脚柱ｃ３の両先端部に爪状の係止部ｃ５，ｃ５を形成し、更に押え板ｃ１の上面に直径方向に沿ってロック突条ｃ４を突設したものである。
【０００７】
一方、上記蓋体ａには、上記固定具ｃの回動軸ｃ２が挿入される固定具取付孔ｂが形成されており、この固定具取付孔ｂには、図８に示されているように、上記脚柱ｃ５，ｃ５を挿通し得る切込みが形成されている。
【０００８】
そして、この蓋体ａに形成された上記固定具取付孔ｂに上記固定具ｃの上記回動軸ｃ２を挿入して回動させることにより、図９に示されているように、上記脚柱ｃ３の基端を固定具取付孔ｂの周縁部に係止させると共に、押え板ｃ１の一部を蓋体ａの外周縁から外側へと突出させ、この押え板ｃ１の一部を上記点検口ｅの表側周縁部に係合させて該蓋体ａを固定する。この場合、押え板ｃ１の上面に形成された上記突条ｃ４が蓋体ａの周縁と点検口ｅの周縁との間に形成された隙間に嵌入し、固定具ｃの回動が緩ロックされると共に、このときに生じるクリック感によりこのロック状態を確認することができるようになっている。また、天井裏点検時には、この固定状態から上記固定具ｃを回動させて、上記押え板ｃと点検口ｅの表側周縁部との係合状態を解除し、蓋体ａの固定状態を解除するようになっている。
【０００９】
【発明が解決しようとする課題】
しかしながら、この従来の固定構造は、点検口ｅ、蓋体ａ、固定具取付孔ｂ、固定具ｃの微妙な寸法のバラツキやパッキン材ｆの劣化（所謂ヘタリ等）により、上述の緩ロック状態を確実に得ることができない場合がある。
【００１０】
即ち、上述のように、上記固定構造では、押え板ｃ１の上面に突設された突条ｃ４を蓋体ａの周縁と点検口ｅの周縁との間に形成された隙間に嵌入させることにより、固定具ｃの回動を緩ロックするように構成されているため、点検口ｅ、蓋体ａ、固定具取付孔ｂ、固定具ｃの微妙な寸法のバラツキや、パッキン材ｆのヘタリなどによって天井パネルｄの表面（下面）と蓋体ａの表面（下面）とに微妙な段差が生じたり、蓋体ａ周縁部の反りによって固定具ｃの姿勢に歪みが生じた場合などには、蓋体ａ周縁と点検口ｅ周縁との間に形成された隙間に上記突条ｃ４が良好に係合せず、上述の緩ロック状態が不十分になったり、良好なクリック感が得られなくなる場合がある。
【００１１】
この場合、上記ロック状態が不十分であると、固定具ｃが回動して不意に固定状態が解除されてしまう場合があり、また固定時には良好なクリック感が得られないために、固定作業時の操作性が低下することとなる。
【００１２】
本発明は、上記事情に鑑みなされたもので、多少の寸法精度のバラツキやパッキン材の劣化が生じても、良好なクリック感をもって確実に固定具をロックすることができ、良好かつ確実に蓋体を固定することができる、天井点検口の蓋体固定構造を提供することを目的とする。
【００１３】
【課題を解決するための手段】
本発明は、上記目的を達成するため、天井に設けられた点検口の周縁部に天井裏側から係合させ、該点検口を閉塞する蓋体を、押え板に回動軸を立設した固定具を用いて固定する蓋体固定構造であり、上記蓋体の周縁近傍に設けた固定具取付孔に上記回動軸を回動可能に係合させて上記固定具を蓋体に取り付け、上記固定具を回動させて該固定具の上記押え板の一部を蓋体の外周縁から外側へと突出させ、この押え板の一部を上記点検口の表側周縁部に係合させて該蓋体を固定し、またこの状態から上記固定具を回動させて、上記押え板と点検口の表側周縁部との係合状態を解除し、蓋体の固定状態を解除する蓋体固定構造において、上記固定具取付孔にロック部を設けると共に、上記固定具の回動軸に上記ロック部と弾性的に係合する係合部を設け、上記押え板の一部が上記蓋体の外周縁から突出して上記点検口の表側周縁部と係合する所定の回動角度で、上記ロック部と上記係合部とが弾性的に係合し、適度なクリック感を伴って固定具の回動が緩ロックされるように構成したことを特徴とする天井点検口の蓋体固定構造を提供する。
【００１４】
即ち、本発明の蓋体固定構造は、上記従来の固定構造と同様に、蓋体に設けられた固定具取付孔に取り付けた固定具を回動させることにより、該回動具の押え板の一部を蓋体の外周縁から突出させて点検口の周縁部に係合させ、蓋体を点検口に固定するものである。この場合、本発明の固定構造では、蓋体に設けられた固定具取付孔にロック部を設けると共に、この固定具取付孔に挿入される固定具の回動軸に上記ロック部と弾性的に係合する係合部を設け、上記押え板の一部が点検口周縁部に係合する所定角度において、固定具の回動軸に形成された上記係合部が固定具取付孔の上記ロック部に弾性的に係合するようにし、これにより上記固定具を回動させて蓋体を固定する際、適度なクリック感をもって上記固定状態の完成を確認することができると共に、この固定状態で上記固定具を緩ロックするものである。
【００１５】
このように、本発明の固定構造は、固定具取付孔に形成された上記ロック部と固定具の回動軸に形成された上記係合部とを係合させることにより、固定具を蓋体の固定状態で緩ロックすると共に、上記ロック部と係合部とが係合状態に至る際のクリック感により蓋体固定状態の完成を確認することができるようにしたものである。従って、この固定具の緩ロック状態は、点検口、蓋体、固定具取付孔、固定具の微妙な寸法のバラツキや、パッキン材の劣化などにほとんど影響されることがなく、確実に所期の目的を達成することができ、良好かつ確実に蓋体を固定することができるものである。
【００１６】
なお、本発明で言う「緩ロック」とは、不意に上記固定具が回動してしまうようなことがなく固定具を所定の角度で確実に保持し得、しかも所定以上の力で故意に固定具を回動させた場合には、そのロック状態を容易に解除することができるように固定具の回動運動をロックすることをいう。
【００１７】
【発明の実施の形態及び実施例】
以下、本発明の実施例を示し、本発明をより具体的に説明する。
図１は本発明の一実施例にかかる天井点検口の蓋体固定構造を示すものであり、浴室の天井パネルｄに設けられた天井点検口ｅを閉塞する蓋体ａを固定具１を用いて固定したものである。
【００１８】
上記蓋体ａの周縁部には、クランク状に折曲して段差状に形成された係合縁部ａ１が設けられていると共に、点検口ｅの周縁部にはＬ字状に折曲して壁状に立設された係合縁部ｄ１が形成されており、天井裏側から点検口ｅを覆うように載置された蓋体ａの上記係合縁部ａ１と点検口ｅの上記係合縁部ｄ１とが係合していると共に、両者ａ１，ｄ１間にゴム等のパッキン材ｆが配設されて、浴室内の湿気が天井裏に侵入することのないようになっている。また、蓋体ａの表面（下面）と天井パネルｄの表面（下面）とはほぼ同一面を形成するようになっており、この状態で蓋体ａの周縁近傍に設けられた固定具取付孔２に取り付けた固定具１で蓋体ａが点検口ｅに固定されている。
【００１９】
上記固定具取付孔２は、図２（Ｂ）に示されているように、内周縁の互いに対向する２箇所にそれぞれ凹状のロック部２１，２１が形成された円形孔であり、これらロック部２１，２１を除く部分の直径が、上記固定具１の後述する回動軸１２の径（軸板１２１及び補強板１２２の幅）とほぼ同一に設定されている。
【００２０】
一方、上記固定具１は、図３〜７に示されているように、円板状の押え板１１の上面に偏心して回動軸１２を一体に立設したものである。
【００２１】
上記回動軸１２は、中間部から先端部にかけて漸次やや幅狭になるように形成された板状の軸板１２１の基端部両側面にそれぞれ補強板１２２，１２２を突設したものであり、基端部が上記軸板１２１及び上記両補強板１２２，１２２により十字状に形成されている。そして、上記軸板１２１の幅及び上記両補強板１２２の端縁間の幅は、上記固定具取付孔２の上記ロック部２１，２１を除く部分の直径とほぼ同一寸法に形成されている。
【００２２】
この回動軸１２の上記軸板１２１の先端部両側面には、弾性変形可能な係止片１２３，１２３が斜め下方に向けて突設されており、これら係止片１２３，１２３の先端部外側にはそれぞれ係止段差１２４，１２４が形成され、該係止段差１２４，１２４から先端側が上記固定具取付孔２のロック部２１，２１と係合する係合部１２５，１２５となっている。また、十字状に形成された上記回動軸１２の基端部周囲には、弾性変形可能な吸盤状の押圧フランジ１２６が一体に形成されている。
【００２３】
また、上記押え板１１の上面中央部には、弾性変形可能な舌状の押圧片１３がやや上方に向けて斜めに突設されており、その先端部は上記回動軸１２の突設部分と反対側の押え板１１辺縁部近傍に達しており、その先端部下面（押圧板１１側の面）には、小凸部１３１が突設されている。
【００２４】
更に、上記押え板１１の下面には、図７に示されているように、周縁部の互いに対向する位置に、固定具１の操作方法を示す矢印状の突条１４，１４が押え板１１の周縁に沿って突設されている。この場合、操作方法をより明確に示すため「まわす」等の文字を押え板１１の下面に刻印してもよい。
【００２５】
この固定具１は、図１に示されているように、上記回動軸１２を蓋体ａの上記固定具取付孔２に蓋体ａの表側（下面側）から圧入し、上記両係止片１２３，１２３の係止段差１２４，１２４を固定具取付孔２の裏側（上面側）周縁部に係合させることにより、該固定具取付孔２に回動可能に取り付けられている。
【００２６】
この場合、上記両係止片１２３，１２３はいずれも内側に撓んだ弾性変形状態となっており、その弾性により固定具取付孔２の内周縁を外側へと押圧した状態となっている。また、上記押圧片１３が下方へと弾性変形した状態で、その先端部上面が天井パネルｄ又は蓋体ａに当接した状態となっている。
【００２７】
この蓋体固定構造は、図１（Ａ）に示されているように、常時は、固定具１の上記押え板１１の一部が上記蓋体ａの外周縁から突出して、この突出した押え板１１の一部が点検口ｅの表側（下面側）周縁部に係合し、この押え板１１と蓋体ａの係合縁部ａ１とで点検口ｅの係合縁部ｄ１が挟持された状態となっており、これにより蓋体ａを点検口ｅに固定した状態となっている。
【００２８】
このとき、図１（Ａ）及び図２（Ａ）に示されているように、固定具１の両係止片１２３，１２３先端部外面の係合部１２５，１２５がそれぞれ固定具取付穴２のロック部２１，２１に嵌入係合した状態となっており、これにより固定具１の回動が緩ロックされた状態になっている。
【００２９】
また、このとき、押え板１１上面に設けられた上記押圧片１３が弾性変形した状態で点検口ｅの表側（下面側）周縁部に当接し、この押圧片１３の弾発力により蓋体ａのガタツキが防止され、更に上記押圧フランジ１２６の周縁部が弾性変形した状態で固定具取付孔２の表側（下面側）周縁部に当接密着し、この押圧フランジ１２６の弾発力及び両係止片１２４，１２４の弾発力により固定具１自体のガタツキも防止される。
【００３０】
更に、上記押圧フランジ１２６により浴室内の湿気が固定具取付孔２を通って天井裏に侵入することも確実に防止されると共に、上記押圧片１３の弾発力により点検口ｅ周縁部の係合縁部ｄ１先端及び蓋体ａ周縁部の係合縁部ａ１が共に所定の圧力で上記パッキン材ｆに良好に密着し、蓋体ａと点検口ｅ周縁部との間から浴室内の湿気が天井裏に侵入することも良好に防止される。
【００３１】
なお、特に制限されないが、通常は、上記固定具１が蓋体ａ周縁部の２箇所以上に取り付けられ、蓋体ａが複数箇所で固定具１により固定される。
【００３２】
次に、蓋体ａを取り外して点検口ｅから天井裏の点検等を行う場合には、図１（Ａ）及び図２（Ａ）の状態から固定具１を上記回動軸１２を中心にしていずれかの方向に回動させる。
【００３３】
すると、図２（Ｂ）に示されているように、両係止片１２３，１２３の係合部１２５（図１又は図３参照）が固定具取付孔２の上記ロック部２１，２１から移動し、更に回動させることにより、図１（Ｂ）及び図２（Ｃ）に示されているように、１８０°回動した時点で、上記両係止片１２３，１２３の係合部１２５（図１又は図３参照）が固定具取付孔２の上記ロック部２１，２１に再び係合し、両係合片１２３，１２３の弾発力により適度なクリック感を伴って、この固定具１が１８０°回動した状態で再び緩ロックされる。
【００３４】
この状態において、図１（Ｂ）及び図２（Ｃ）に示されているように、蓋体ａの周縁から突出していた押え板１１の一部が点検口ｅの周縁部から退去し、蓋体ａの固定状態が解除される。そしてこの状態で、蓋体ａを天井裏側へと押し上げて取り外し、天井裏の点検等を行うが、この場合、固定具１はこの非固定状態で緩ロックされており、蓋体ａの取り外し時に蓋体ａの周縁から突出して作業を妨げるようなことがない。
【００３５】
天井裏点検後、再び蓋体ａを点検口ｅに取り付けて固定する場合には、蓋体ａを上述のように点検口ｅに天井裏側から被せて両者の係合縁部ａ１及びｄ１を係合させ、図１（Ｂ）及び図２（Ｃ）の状態になっている固定具１をいずれかの方向に回動させる。すると、図２（Ｂ）に示されているように、両係止片１２３，１２３の係合部１２５（図１又は図３参照）が固定具取付孔２の上記ロック部２１，２１から移動し、更に回動させることにより、１８０°回動した時点で、上記両係止片１２３，１２３の係合部１２５（図１又は図３参照）が固定具取付孔２の上記ロック部２１，２１に再び係合し、図１（Ａ）及び図２（Ａ）に示された固定状態となり、このとき両係合片１２３，１２３の弾発力により適度なクリック感を伴って、固定具１の回動が再び緩ロックされる。
【００３６】
また、この蓋体ａの取り付け作業時も、固定具１はこの非固定状態で緩ロックされており、蓋体ａの取り付け時に蓋体ａの周縁から突出して作業を妨げるようなことがなく、作業性よく蓋体ａを点検口ｅに取り付けた後、上記固定作業を行うことができる。
【００３７】
このように、本実施例の蓋体固定構造は、蓋体ａに設けられた固定具取付孔２に取り付けた固定具１を回動させることにより、該回動具１の押え板１１の一部を蓋体ａの外周縁から突出させて点検口ｅの周縁部に係合させ、蓋体ａを点検口ｅに固定するものである。この場合、本例固定構造では、蓋体ａに設けられた固定具取付孔２にロック部２１，２１を設けると共に、この固定具取付孔２に挿入される固定具１の回動軸１２に上記ロック部２１，２１と弾性的に係合する係合部１２５，１２５を設け、上記押え板１１の一部が点検口ｅ周縁部に係合する所定角度において、固定具１の回動軸１２に形成された上記係合部１２５，１２５が固定具取付孔２の上記ロック部２１，２１に弾性的に係合するようにし、これにより上記固定具１を回動させて蓋体ａを固定する際、適度なクリック感をもって上記固定状態の完成を確認することができると共に、この固定状態で上記固定具１を緩ロックするものである。
【００３８】
即ち、本実施例の固定構造は、固定具取付孔２に形成された上記ロック部２１，２１と固定具１の回動軸１２に形成された上記係合部１２５，１２５とを係合させることにより、固定具１を蓋体ａの固定状態で緩ロックすると共に、上記ロック部２１，２１と係合部１２５，１２５とが係合状態に至る際のクリック感により蓋体固定状態の完成を確認することができるようにしたものである。従って、この固定具の緩ロック状態は、点検口ｅ、蓋体ａ、固定具取付孔２、固定具１の微妙な寸法のバラツキや、パッキン材ｆの劣化などにほとんど影響されることがなく、確実に所期の目的を達成することができ、良好かつ確実に蓋体ａを固定することができるものである。
【００３９】
更に、本実施例の固定構造では、両係止片１２３，１２３、押圧フランジ１２６及び押圧片１３が、それぞれ蓋体ａの固定具取付孔２周縁部及び点検口ｅ周縁部に弾性的に当接して、蓋体ａを固定するようになっているので、これら両係止片１２３，１２３、押圧フランジ１２６及び押圧片１３の弾性変形により、上記寸法のバラツキ等を確実に吸収して、多少の寸法バラツキであれば、なんら不都合なく蓋体ａを確実に固定することができる。
【００４０】
なお、本発明の天井点検口の蓋体固定構造は、上記実施例に限定されるものではなく、固定具１や固定具取付孔２の形状や構成、蓋体ａと点検口ｅとの係合構造等は、本発明の要旨を逸脱しない範囲で適宜変更することができ、また上記実施例では浴室の天井パネルに設けられた点検口に取り付けられる蓋体の固定構造を示したが、蓋体は浴室の天井に設けられる点検口を閉塞するものに限定されるものではなく、種々の天井に設けられる点検口の蓋体に本発明の固定構造を採用することができる。
【００４１】
【発明の効果】
以上説明したように、本発明の天井点検口の蓋体固定構造によれば、多少の寸法精度のバラツキやパッキン材の劣化が生じても、良好なクリック感をもって確実に固定具をロックすることができ、良好かつ確実に蓋体を固定することができる。
【図面の簡単な説明】
【図１】本発明の一実施例にかかる天井点検口の蓋体固定構造を示す断面図であり、（Ａ）は固定状態、（Ｂ）は固定状態を解除した状態である。
【図２】同蓋体固定構造を天井裏側から見た一部を断面とした平面図であり、（Ａ）は固定状態、（Ｂ）固定状態を解除する際の中間状態、（Ｃ）は固定状態を解除した状態である。
【図３】同蓋体固定構造を構成する固定具を示す斜視図である。
【図４】同固定具を示す正面図である。
【図５】同固定具を示す平面図である。
【図６】同固定具を示す側面図である。
【図７】同固定具を示す底面図である。
【図８】従来の固定構造を示す分解斜視図である。
【図９】同従来の固定構造を示す断面図である。
【符号の説明】
１　固定具
１１　押え板
１２　回動軸
１２３　係止片
１２４　係止段差
１２５　係合部
１２６　押圧フランジ
１３　押圧片
２　固定具取付穴
２１　ロック部
ａ　蓋体
ｄ　天井パネル
ｅ　点検口
ｆ　パッキン材
【図１】
2004084279.tif 000003
【図２】
2004084279.tif 000004
【図３】
2004084279.tif 000005
【図４】
2004084279.tif 000006
【図５】
2004084279.tif 000007
【図６】
2004084279.tif 000008
【図７】
2004084279.tif 000009
【図８】
2004084279.tif 000010
【図９】
2004084279.tif 000011